(57)【特許請求の範囲】
【請求項１】
タンポン本体の後端部から引き出し用紐が延出しているタンポンにおいて、前記引き出し用紐が通気性のある筒状構造を有し、該筒状構造の内部に粉粒状の制臭剤が含まれており、該筒状構造の内径が１〜３ｍｍであるタンポン。
【請求項２】
粉粒状の前記制臭剤が活性炭、ゼオライト粉末又はシリカゲル粉末であり、タンポン本体の重量に対して５〜８０％含有されている請求項１記載のタンポン。
【請求項３】
前記引き出し用紐が前記タンポン本体の内部にも存しており、該タンポン本体の内部に存する該引き出し用紐にも前記制臭剤が含まれている請求項１又は２記載のタンポン。
【発明の詳細な説明】
【０００１】
【発明の属する技術分野】
本発明は、膣腔に挿入されて使用され経血を吸収保持するタンポンに関し、更に詳しくは制臭性能を有するタンポンに関する。
【０００２】
【従来の技術及び発明が解決しようとする課題】
消臭や脱臭等の制臭を目的として、タンポン本体に消臭剤や脱臭剤を含有させたタンポンが知られている。しかし、消臭剤や脱臭剤は一般に粉粒体であることが多いことから、膣腔内に挿入されているタンポンから斯かる消臭剤や脱臭剤が脱落して、これらの剤が膣腔内に残留するおそれがある。
【０００３】
従って、本発明の第１の目的は生理時の臭いを抑制し得るタンポンを提供することにあり、第２の目的は生理時の臭いを抑制する剤が膣腔内に残留することを防止し得るタンポンを提供することにある。
【０００４】
【課題を解決するための手段】
本発明は、タンポン本体の後端部から引き出し用紐が延出しているタンポンにおいて、前記引き出し用紐が通気性のある筒状構造を有し、該筒状構造の内部に粉粒状の制臭剤が含まれており、該筒状構造の内径が１〜３ｍｍであるタンポンを提供することにより前記目的を達成したものである。
【０００５】
【発明の実施の形態】
以下本発明を、その好ましい実施形態に基づき図面を参照しながら説明する。図１には本発明のタンポンの一実施形態の斜視図が示されている。本実施形態のタンポン１は、円柱状の形状をしており、略一様な太さになっているタンポン本体２を有している。タンポン本体２は、挿入方向の先端に位置する略半球状の先端部３、挿入方向の後端に位置する後端部４、及び先端部３と後端部４との間に位置する中間部５とから構成されている。先端部３、後端部４及び中間部５は一体的になっている。後端部４からは、引き出し用紐６が延出している。また、図示していないが、引き出し用紐６は、タンポン本体２の内部にも存している。
【０００６】
タンポン本体２は、レーヨン繊維、コットン繊維又はこれらの混合物などの吸液性材料から構成されている。これらの繊維は、吸液性能の点からその繊度が１〜５デニール程度であることが好適である。またその繊維長は、繊維の脱落防止の点から２０ｍｍ以上、特に３０ｍｍ以上であることが好適である。タンポン本体２には、少量の疎水性繊維が含まれていてもよい。
【０００７】
タンポン本体２は、これら吸液性材料からなるシート材を複数枚重ねロール状に巻き上げた後に円柱状に圧縮成形して得られたものである。このシート材の坪量は４０〜１００ｇ／ｍ2程度である。前記シート材をロール状に巻き上げる際に、該シート材内に引き出し用紐の一部を組み込んでおくことで、得られるタンポン本体２の内部に引き出し用紐を存させることができる。
【０００８】
引き出し用紐６には制臭剤が含有されている。詳細には、図２に示すように、引き出し用紐６は通気性のある筒状構造を有し、該筒状構造の内部に制臭剤７が含まれている。通気性のある筒状構造を有する引き出し用紐６としては、例えば撥水処理を施した綿糸を筒状に編んだ紐や、液不透過性で且つ水蒸気透過性の微多孔を有する熱可塑性樹脂のフィルムを筒状に成形したものなどが挙げられる。後述するように制臭剤には粉粒体が多いことから、引き出し用紐６は、その目の粗さが該制臭剤の粒子サイズよりも小さくなっている。引き出し用紐６の先端は、例えば接着剤などによって封止されており、該先端からの制臭剤の脱落が防止されている。
【０００９】
引き出し用紐６の長さは本発明において臨界的ではないが、制臭に十分な量の制臭剤を保持させる観点及び引き出し用紐６の取り扱い性の観点から、後端部４から延出している部分の長さが８０〜１５０ｍｍ、特に１００〜１２０ｍｍ程度であることが好ましい。また、引き出し用紐６における筒状構造の内径も同様の観点から決定され、１〜３ｍｍであり、１．５〜２ｍｍであることが好ましい。尚、図１に示すタンポン１においては、引き出し用紐６が１本となっているが、これに代えて複数の引き出し用紐を用いてもよい。
【００１０】
引き出し用紐６に制臭剤が含まれていることによって生理時の臭いが抑制されて、装着者自身及び他人に対し、該臭いが知覚されないようになる。制臭剤は引き出し用紐６の内部に含まれているので、タンポンの着用中に該制臭剤が脱落・飛散して膣腔内に残留するおそれはない。
【００１１】
引き出し用紐６は、その全長に亘って制臭剤が含まれている。従って、引き出し用紐６のうち、タンポン本体２の内部に存する部分にも制臭剤が含まれている。その結果、引き出し用紐６よりも臭いの発生源に近いタンポン本体２にも制臭性能が付与されて、生理時の臭いが一層抑制される。その上、制臭剤が脱落・飛散して膣腔内に残留するおそれもない。
【００１２】
本発明における制臭剤とは、悪臭を吸収する消臭剤及び脱臭剤、悪臭の発生を防止する防臭剤、悪臭を他の臭いでマスキングする芳香剤等の悪臭を抑制する物質一般を意味する。これらの剤の具体例は以下の通りである。これらの剤は一種又は二種以上を組み合わせて用いることができる。
【００１３】
消臭剤及び脱臭剤としては、(1) 活性炭、繊維化炭素吸着剤、ゼオライト、アモルファスシリカ、ベントナイト等の粘土鉱物、活性アルミナ及び酸性白土等の物理吸着脱臭剤、(2) 酸性剤、アルカリ性剤、酸化剤及び還元剤等の化学脱臭剤、(3) アルカリ性または酸性添着活性炭、植物性精油を吸着させたゼオライト等の物理・化学脱臭剤、並びに(4) 鉄フタロシアニン誘導体、酸化亜鉛等の脱硫作用を有する塩、鉄（II）化合物をＬ−アスコルビン酸とミョウバンとの混合物などが挙げられる。
【００１４】
防臭剤としては、銀、亜鉛、銅などの金属イオンを含むキレート剤、及びこれらの金属イオンを担持する物質（例えば金属イオン含浸ゼオライト）などが挙げられる。
【００１５】
芳香剤としては、(1) アルコール系香料、単糖類、オリゴ糖類及び多糖類からなる配糖体等の香料の配糖体、(2) グリセリンとカルボン酸系香料（安息香酸、桂皮酸など）とのモノグリセライド、ジグリセライド及びトリグリセライド等のグリセリド、(3) アルコール系香料、カルボン酸系香料又はアミン系香料（インドール、スカトールなど）のアミノ酸誘導体又はペプチド誘導体などが挙げられる。
【００１６】
更に、制臭剤として、ポリガラクトサミン、キトサン、キチン、ポリエチレンイミン、ポリアニリン等の高分子有機材料を用いることもできる。これらのうち、高分子としての安定性、自身の持つ臭気が低い点から、特にキトサンが好ましい。また、ポリアクリル酸、ポリメタクリル酸、ポリクロトン酸、ポリイタコン酸、ポリマレイン酸等のポリカルボン酸を用いることもできる。これらのうち、酸性度が低く、酸性の臭気物質と塩交換し易いポリアクリル酸又はポリメタクリル酸、特にポリメタクリル酸が好ましい。
【００１７】
以上の各種制臭剤のうち、加工性や使用時の引き出し用紐６の取り扱い性の点から粉粒状のものを用いる。その具体例としては消臭剤として用いられる粒子状の活性炭、ゼオライト粉末、シリカゲル粉末などが挙げられる。
【００１８】
制臭剤の種類にもよるが、該制臭剤は、タンポン本体２の重量に対して５〜８０％、特に２０〜７０％含有されていることが、制臭性能が効果的に発現される点から好ましい。
【００２０】
本発明は前記実施形態に制限されない。例えば、外観や制臭性能の維持目的として、引き出し用紐６に、制臭剤に加えて各種着色剤、撥水剤、界面活性剤等を含有させてもよい。
【００２１】
また前記実施形態においては、引き出し用紐６の全長に亘って制臭剤が含有されていたが、これに代えて引き出し用紐６の一部にのみ制臭剤を含有させてもよく、或いは引き出し用紐６に断続的に制臭剤を含有させてもよい。
【００２２】
また、制臭剤の脱落・飛散が十分に防止できる範囲において、引き出し用紐６に加えてタンポン本体２にも制臭剤を含有させてもよい。
【００２３】
【発明の効果】
本発明のタンポンによれば、生理時の臭いを抑制することができ、特に生理時の臭いを抑制する剤が膣腔内に残留することを防止することができる。特に、該剤を含んだ引き出し用紐がタンポン本体内にも存することで、タンポン本体にも制臭性能が付与されて、生理時の臭いが一層抑制される。
【図面の簡単な説明】
【図１】本発明のタンポンの一実施形態を示す斜視図である。
【図２】図１における引き出し用紐の断面を拡大して示す模式図である。
【符号の説明】
１  タンポン
２  タンポン本体
６  引き出し用紐
７  制臭剤
【図１】
0003986307.tif 000002
【図２】
0003986307.tif 000003